(57)【要約】【課題】ゴミ袋収納部２とその上方に配置した筒状のゴミ袋支持体１１とからるゴミ袋取付具に於いて、袋収納部２の開口部に設けた開閉蓋３を直接、手によらずに開け、ゴミ袋支持体１１と袋収納部２とを開離状態にして空間を作り、維持する。【解決手段】ゴミ袋収納部２の開口部に設けた開閉蓋３の回転軸にバネ１５（このバネ１５の力は開閉蓋３を開ける事はできるが、袋支持体１１を動かす事が出来ないものであること。）を取り付ける。【選択図】        図１
2004149318.tif 000002
【特許請求の範囲】
【請求項１】
ゴミ袋収納部とその上方に配置した筒状のゴミ袋支持体とからなるゴミ袋の取付具において、ゴミ袋収納部の開口部に設けた開閉蓋の回転軸にバネを取り付け、ゴミ袋支持体を昇降可能に取り付けると共に、ゴミ袋支持体の上昇時における支持体下端部と収納部との間隔を開閉蓋の奥行より大きくしたゴミ袋取付具。
【請求項２】
ゴミ袋支持体の側壁に上部及び下部開口縁と連続するスリットを設けた請求項１に記載のゴミ袋取付具。
【発明の詳細な説明】
【０００１】
【発明の属する技術分野】
本発明は、ゴミ袋収納部とその上方に配置した筒状のゴミ袋支持体とからなるゴミ袋の取付具に関するものである。
【０００２】
【従来の技術】
この種の取付具としては、出願人が所有している実用新案登録第２１１４０５７号に開示したものが知られている。
この取付具は、ゴミ袋収納部とその上方に配置した筒状のゴミ袋支持体とからなるゴミ袋の取付具において、ゴミ袋収納部の開口部に一端を枢着させた開閉蓋を取り付け、ゴミ袋支持体を昇降可能に取り付けると共に、ゴミ袋支持体の上昇時に支持体下端部と収納部との間隔を開閉蓋の奥行より大きくするよう構成したものである。
一般にゴミ等の容器（ゴミ箱）への袋の装着は、当該容器の上部開口部より底部に向けてなされている。
しかし、当該取付具は、袋収納部とその上方に配置した筒状のゴミ袋支持体とからなっており、袋を袋収納部に収納しておき、袋収納部から一旦、袋を袋収納部の外へ取り出して、袋支持体の上部開口部から底部に向けて取り付けるのでなく、袋収納部から直接に袋支持体に袋を取り入れて、袋を袋支持体に取り付ける事を特色としている。
この事を実現するために、右手にて袋支持体を上昇させ、左手にて袋収納部の開口部に設けた開閉蓋を袋支持体を昇降させる棒体の所まで、開き切り、その開閉蓋を下降する袋支持体のストッパーとして機能させて、袋支持体の底部と袋収納部とを離開状態にして空間を作り、維持する。この事により両手を使って、即ち一方の手で袋収納部の中の袋を袋支持体の底部からその内部に持ち込み、もう一方の手を袋支持体の開口部から入れて、その袋を引き上げ、開口部の開口縁に広げて折りまげ、袋支持体に袋をとりつける。こうして当該取付具の特色とする効率的な取り付け作業が可能となる。
ところが開閉蓋を手であけると、必ずしも上述のように袋支持体の底部と袋収納部との間を離開状態として空間を作成維持しないで、冒頭に述べた一般の袋の装着の習慣もあって、袋支持体を少し上げ、袋収納部の開閉蓋を開けて、一旦袋を収納部の外へ取り出し、袋支持体の開口部の上部から取り付け、必ずしも当該袋の取付具の特色とする効率的な取り付けがなされない不都合があった。
【０００３】
【発明が解決しようとする課題】
本発明はゴミ袋収納部２とその上方に配置した筒状のゴミ袋支持体１１とからなるゴミ袋取付具に於いて、袋収納部の開口部に設けた開閉蓋３を直接、手によらずに開け、ゴミ袋支持体１１と袋収納部２とを開離状態にして空間を作り維持する事を課題としたものである。
【０００４】
【課題を解決するための手段】
この技術的課題を解決するための技術的手段は、ゴミ袋収納部２の開口部に設けた開閉蓋３の回転軸にバネ１５を取り付ける事である。
第２の技術的手段は、袋支持体１１の側壁に上部及び下部の開口縁と連続するスリット１３を設けて置くことである。
【０００５】
【発明の実施の形態】
袋支持体１１と袋収納部２とは上下２段に構成されゴミ袋支持体１１が昇降可能に取り付けられ、また、袋収納部２の開閉蓋３はその袋支持体１１によってその移動が規制されているが、袋支持体１１を上昇して、袋収納部２と離開させると、収納部２の開口部の開閉蓋３は、その回転軸に取り付けたバネ１５により、自動的に一気に袋支持体１１を昇降させる棒体１２まで開き切る。先に上昇した袋支持体１１を下降させると袋収納部２の開閉蓋３がストッパーとして機能し、袋支持体１１の底部と袋収納部２の開口部とは離開状態となり、空間が形成され、維持される。
そのために、直ちに両手を使って、即ち、一方の手で袋収納部２の袋を袋支持体１１の底部からその内部に持ち上げ、もう一方の手を袋支持体１１の開口部から入れて、その袋を引き上げ、袋支持体１１の開口部の開口縁に広げて、袋支持体１１に袋を取り付ける事が出来る。その後、開閉蓋３を閉じ、その上に袋支持体１１を下降させると、開閉蓋３は袋支持体１１によりその移動が規制され、袋の底は開閉蓋３を受けにした状態となり、ゴミ投入時には開閉蓋３で支持されることになる。
【０００６】
筒状に構成した袋支持体１１の側壁に形成されるスリット１３は、上部、下部開口縁に連続させられているため、収納部２からふくろを取り出した後、袋をスリット１３にそって、そのまま持ち上げる事によって、袋を袋支持体１１の上部に導いて袋支持体１１の内部に持ち込み、後、開口縁に広げて袋支持体１１に取り付け、そのまま袋支持体１１を下降する。
【０００７】
【実施例】
次に、上記技術的手段の具体例を図面を参酌して説明する。
図１は、ゴミ袋取付具１の側面図を示したもので、上部を開口させたプラスチック製の箱体で収納部２を構成している。
収納部２の開口部には相対応する側壁に軸受けを有する開閉蓋３があり、それの回転軸にはバネ１５（但し、バネ１５の力は開閉蓋３を開かすことができるが、、袋支持体１１を動かす事が出来のないものであること。）が取り付けてある。
【０００８】
収納部２の上方にはプラスチックで形成した筒状の袋支持体１１が配置してある。支持体１１の背面側には下向きには断面角形の棒体１２が突設してあり、この棒体１２は収納部２背面に上下方向で固設させたガイド筒５内に収納され、袋支持体１１の昇降を自在としている。
袋支持体１１を上昇させると、開閉蓋３は一気に自動的に開き、袋支持体１１に突設した棒体１２の所まで開き切る。（なお、開閉蓋３を点線で示した位置）一方、袋支持体１１を下降させると、その開き切った開閉蓋３は袋支持体１１のストッパーとして働き、袋支持体１１の底部と袋収納部２は離開状態となって空間を形成し、維持される。
之により一旦、袋を収納部２の外に取り出さずに、両手を使って、袋収納部から直接、袋支持体１１の内部へ袋を持ち上げて、袋を取り付けることができる。
【０００９】
【発明の効果】
ゴミ袋支持体を上昇すると、袋収納部の開閉蓋が一気に自動的に開き、ゴミ袋支持体の底部と袋収納部の開口部とを離開状態にして空間を作り、維持する為直ちに、袋収納部に収納されている袋をいちいち一旦、外へ取り出さずに袋支持体の内部へ直接、袋を持ち上げて、袋を袋支持体に取り付ける事が出来る利点があり、袋の袋支持体への装着が極めて迅速且、容易に行なえ、使い勝手がよい。
請求項２の発明では、片手でも袋をスリット１３にガイドして開口部に引き上げることが出来、袋の取り付けが極めて容易である。
特に袋支持体が細長い場合、袋の取り付けが便利である。
【図面の簡単な説明】
【図１】ゴミ袋取付具の一部を切り欠いた側面図である。
【符号の説明】
１  取付具、  ２  収納部、  ３  開閉蓋、  ５  ガイド筒、  １１  支持体
１２  棒体、１３  スリット、１５  バネ
【図１】
2004149318.tif 000003